(57)【要約】【課題】  画像上での測定値と実際の被写体寸法との比較や倍率との関係を把握しにくい。【解決手段】  放射線を照射して放射線画像変換手段に撮影された画像を表示する放射線画像表示装置において、前記画像の倍率を設定する倍率設定手段と、前記画像上での所定の位置間の距離を計測する計測手段と、前記倍率設定手段により設定された倍率と前記計測手段にて計測した距離に基づいて、前記画像上での所定の位置間に対応する被写体上での所定の位置間の距離を算出する算出手段と、前記倍率設定手段により設定された倍率と前記計測手段にて計測した距離と前記算出手段により算出された距離とを同時に表示する表示手段を有する。【選択図】      図３
2005027904.tif 000002
【特許請求の範囲】
【請求項１】
放射線を照射して放射線画像変換手段に撮影された画像を表示する放射線画像表示装置において、
前記画像の倍率を設定する倍率設定手段と、
前記画像上での所定の位置間の距離を計測する計測手段と、
前記倍率設定手段により設定された倍率と前記計測手段にて計測した距離に基づいて、前記画像上での所定の位置間に対応する被写体上での所定の位置間の距離を算出する算出手段と、
前記倍率設定手段により設定された倍率と前記計測手段にて計測した距離と前記算出手段により算出された距離とを同時に表示する表示手段を有することを特徴とする放射線画像表示装置。
【請求項２】
前記表示手段は前記倍率設定手段により設定された倍率と前記計測手段にて計測した距離と前記算出手段により算出された距離とを、それらの関係を表す式の形式で同時に表示することを特徴とする請求項１に記載の放射線画像表示装置。
【請求項３】
前記所定の位置間を結ぶ線を描画する描画手段を有し、前記表示手段は前記描画手段によって描画された線の近傍に、前記倍率設定手段により設定された倍率と前記計測手段にて計測した距離と前記算出手段により算出された距離とを同時に表示することを特徴とする請求項１または２に記載の放射線画像表示装置。
【請求項４】
前記表示手段は前記描画手段によって描画された線上に、前記倍率設定手段により設定された倍率と前記計測手段にて計測した距離と前記算出手段により算出された距離とを同時に表示することを特徴とする請求項３に記載の放射線画像表示装置。
【請求項５】
放射線を照射して放射線画像変換手段に撮影された画像を表示する放射線画像表示装置において、
前記画像の倍率を設定する倍率設定手段と、
前記画像上での所定の位置間の距離を計測する計測手段と、
前記倍率設定手段により設定された倍率と前記計測手段にて計測した距離に基づいて、前記画像上での所定の位置間に対応する被写体上での所定の位置間の距離を算出する算出手段とを有し、
前記倍率設定手段によって設定した倍率は、その倍率が設定された後に、前記算出手段により算出される被写体上での所定の位置間の距離にのみ使用することを特徴とする放射線画像表示装置。
【請求項６】
前記倍率設定手段は前記画像に写しこまれる基準物の実測値を入力し、この実測値と画像上での測定値から算出することを特徴とする請求項１ないし５の何れかに記載の放射線画像表示装置。
【請求項７】
放射線を照射して放射線画像変換手段に撮影された画像を表示する放射線画像表示方法において、
前記画像の倍率を設定する倍率設定し、
前記画像上での所定の位置間の距離を計測し、
前記倍率設定された倍率と前記計測された距離に基づいて、前記画像上での所定の位置間に対応する被写体上での所定の位置間の距離を算出する算出し、
前記設定された倍率と前記計測した距離と前記算出された距離とを同時に表示することを特徴とする放射線画像表示方法。
【請求項８】
設定された倍率と計測された前記画像上での距離と算出された被写体上での距離は、それらの関係を表す式の形式で同時に表示することを特徴とする請求項７に記載の放射線画像表示方法。
【請求項９】
前記画像上の所定の位置間を結ぶ線を描画し、前記描画された線の近傍に、前記設定された倍率と前記計測した距離と前記算出された距離とを同時に表示することを特徴とする請求項１または２に記載の放射線画像表示方法。
【請求項１０】
前記描画された線上に、前記設定された倍率と前記計測した距離と前記算出された距離とを同時に表示することを特徴とする請求項９に記載の放射線画像表示方法。
【請求項１１】
放射線を照射して放射線画像変換手段に撮影された画像を表示する放射線画像表示方法において、
前記画像の倍率を設定する倍率設定し
前記画像上での所定の位置間の距離を計測し
前記倍率設定された倍率と前記計測された距離に基づいて、前記画像上での所定の位置間に対応する被写体上での所定の位置間の距離を算出して、
前記倍率設定された倍率は、その倍率が設定された後に、算出される被写体上での所定の位置間の距離にのみ使用することを特徴とする放射線画像表示方法。
【請求項１２】
前記倍率設定は前記画像に写しこまれる基準物の実測値を入力し、この実測値と画像上での測定値から算出することを特徴とする請求項７ないし１１の何れかに記載の放射線画像表示方法。
【請求項１３】
放射線を照射して放射線画像変換手段に撮影された画像を表示するコンピュータプログラムにおいて、
前記画像の倍率を設定する倍率設定ステップと、
前記画像上での所定の位置間の距離を計測する計測ステップと、
前記倍率設定ステップにより設定された倍率と前記計測ステップにて計測した距離に基づいて、前記画像上での所定の位置間に対応する被写体上での所定の位置間の距離を算出する算出ステップと、
前記倍率設定ステップにより設定された倍率と前記計測ステップにて計測した距離と前記算出ステップにより算出された距離とを同時に表示する表示ステップを有することを特徴とするコンピュータプログラム。
【請求項１４】
前記所定の位置間を結ぶ線を描画する描画ステップを有し、前記表示ステップは前記描画ステップによって描画された線の近傍に、前記倍率設定ステップにより設定された倍率と前記計測ステップにて計測した距離と前記算出ステップにより算出された距離とを同時に表示することを特徴とする請求項１３に記載のコンピュータプログラム。
【請求項１５】
放射線を照射して放射線画像変換手段に撮影された画像を表示するコンピュータプログラムにおいて、
前記画像の倍率を設定する倍率設定ステップと、
前記画像上での所定の位置間の距離を計測する計測ステップと、
前記倍率設定ステップにより設定された倍率と前記計測ステップにて計測した距離に基づいて、前記画像上での所定の位置間に対応する被写体上での所定の位置間の距離を算出する算出ステップとを有し、
前記倍率設定ステップによって設定した倍率は、その倍率が設定された後に、前記算出ステップにより算出される被写体上での所定の位置間の距離にのみ使用することを特徴とするコンピュータプログラム。
【請求項１６】
前記倍率設定ステップは前記画像に写しこまれる基準物の実測値を入力し、この実測値と画像上での測定値から算出することを特徴とする請求項１３ないし１５の何れかに記載のコンピュータプログラム。
【請求項１７】
請求項１３ないし１６の何れかに記載のコンピュータプログラムを記録したことを特徴とするコンピュータ読み取り可能な記録媒体。
【発明の詳細な説明】
【技術分野】
【０００１】
本発明は、放射線画像を表示する医用画像表示装置に関する。
【背景技術】
【０００２】
従来、医用分野で画像診断というと、放射線を照射して撮影されたフイルム画像をシャーカステンに掛けて、観察することを指していた。放射線画像は管球(放射線発生装置)から発生した放射線が被写体を透過してフィルムに投影されるために、実際の被写体の大きさよりも拡大された画像として得られる。
従来のフイルム上で２点間の長さを測定する際にはフイルムに定規を直接当て距離を測定していた。ここで倍率を求めるには、カセッテ（フィルム）と管球の距離をもとに手作業で算出しなければならなかった。
【０００３】
近年、固体撮像素子等を用いた放射線撮影機器が開発されてきており、コンピュータを用いた放射線画像デジタル読取撮影が行なわれてきている。放射線デジタル読み取り撮影で得られた画像は、CRTや液晶ディスプレイなどのモニターに表示して診断を行なう。この場合、画像上の２点間の長さを測定するために、画面上にスケールを重畳表示して診断対象部位の長さを測定することが行なわれている。（例えば、特許文献１参照）
また、放射線照射装置から被写体までの距離および被写体から放射線画像変換パネルまでの距離を測定して、被写体の撮影倍率を算出し、算出した撮影倍率を用いて、撮影された画像の任意の点間の距離を正確に計測して表示することも提案されている。（例えば、特許文献２参照）
【０００４】
【特許文献１】特開平４−５４６２８号公報
【特許文献２】特開平１１−２５３４２９号公報
【発明の開示】
【発明が解決しようとする課題】
【０００５】
しかしながら、特開平４−５４６２８号公報に開示されているスケールを用いて計測した値は、前述したように被写体を透過した放射線を受光するセンサー上に結像した像での測定値であるため、倍率分だけ実際の被写体寸法よりも拡大されている。したがって、実際の被写体寸法を把握できないという問題が発生する。
【０００６】
一方、特開平１１−２５３４２９号公報に開示される計測値は倍率で補正された値、すなわち実際の被写体寸法のみが表示されるだけあるので、画像上での測定値と実際の被写体寸法との比較や倍率との関係を把握しにくいという問題点あった。
【課題を解決するための手段】
【０００７】
このような課題に鑑み、請求項１に記載した発明は、放射線を照射して放射線画像変換手段に撮影された画像を表示する放射線画像表示装置において、前記画像の倍率を設定する倍率設定手段と、前記画像上での所定の位置間の距離を計測する計測手段と、前記倍率設定手段により設定された倍率と前記計測手段にて計測した距離に基づいて、前記画像上での所定の位置間に対応する被写体上での所定の位置間の距離を算出する算出手段と、前記倍率設定手段により設定された倍率と前記計測手段にて計測した距離と前記算出手段により算出された距離とを同時に表示する表示手段を有する。
【０００８】
請求項５に記載した発明は、放射線を照射して放射線画像変換手段に撮影された画像を表示する放射線画像表示装置において、前記画像の倍率を設定する倍率設定手段と、前記画像上での所定の位置間の距離を計測する計測手段と、前記倍率設定手段により設定された倍率と前記計測手段にて計測した距離に基づいて、前記画像上での所定の位置間に対応する被写体上での所定の位置間の距離を算出する算出手段とを有し、前記倍率設定手段によって設定した倍率は、その倍率が設定された後に、前記算出手段により算出される被写体上での所定の位置間の距離にのみ使用する。
【発明の効果】
【０００９】
請求項１に記載した発明によれば、倍率設定手段により設定された倍率と計測手段にて計測した距離と前記算出手段により算出された距離とを同時に表示するので、画像上での測定値と実際の被写体寸法との比較や倍率との関係を一見して確実に把握することができ、使いやすい放射線画像表示装置を提供することができる。
【００１０】
また、請求項５に記載した発明によれば、倍率設定手段により設定された倍率はそれ以後の算出でしか使用しないので、画像上での測定値と実際の被写体寸法との比較や倍率との関係が煩雑になることがなく、使いやすい放射線画像表示装置を提供することができる。
【発明を実施するための最良の形態】
【００１１】
図１は、本発明の第１の実施形態としての放射線画像表示装置のハードウェア構成を説明する図である。
【００１２】
図１において、１０１は制御部１０２に対して指示を行なうマウス、キーボードなどの入力部である。１０２は入力部１０１より入力された指示をコントロールする制御部で、１０３はハードディスク、外部記憶媒体など、データを保持するデータ保存部である。１０４はＣＲＴ、液晶ディスプレイといったデータおよび画像などを表示する表示部である。入力部１０１、制御部１０２、データ保存部１０３および表示部１０４は相互に接続されている。
【００１３】
図２は本発明の第１の実施形態としての放射線画像表示装置の機能構成を説明する図である。
【００１４】
図２において、２０１は放射線画像表示装置に各種指示を与えるための指示部であり、入力部１０１に相当する。２０２は画像データを保存しておくための画像保存部であり、データ保存部１０３に含まれている。２０３は画像保存部２０２に保存されている画像データを取得するための、画像受信部であり、制御部１０２に含まれる。
【００１５】
２０４は画像受信部にて受信した画像を表示部１０４に表示するための画像表示部である。２０５は入力部１０１からの入力により、表示されている画像の２点間の長さを測定するための計測処理部である。２０６は計測処理部２０５において処理された結果に基づき、計測結果を表示部１０４に表示する計測結果表示部である。２０７は倍率を設定する倍率設定部である。
【００１６】
図３において本実施形態の画面表示例を示しており、ディスプレイに表示した放射線画像に対して計測処理を行なっている様子を示している。まず、ユーザは所望の画像を表示する。図３においては、画面上に診断者が診断を行なう放射線画像４０１が１枚だけ表示されているが、複数の画像が表示されていてもかまわない。
【００１７】
この放射線画像４０１に対して所定の操作を行なうことを指示するためのGUI（グラフィカルユーザインタフェース）として、各種ツールボタンが表示されている。たとえば、マウス等のポインティングデバイスを用いて、計測処理を行なうボタンをクリックすると計測処理を行なうことが出来るようになる。
【００１８】
まず、マウスを用いて、放射線画像４０１上にポインタを移動させる。その後マウスのボタンをクリックするなどして画像の倍率を設定する。この動作の詳細は後述する。
【００１９】
倍率の設定が終わった後、画面上には計測ツール選択部としてボタン４０２が表示されている。マウスを操作してポインタをボタン４０２の上に移動させて、クリックするなどして計測処理を行なうことをシステムに指示する。すると、ボタン４０２の表示形態が変化するなどして計測モードに切り替ったことが明示的になる。次に、マウスを操作して画像上の任意の２点を指定することで指定した２点間の距離を測定するとともに、指定した２点間を直線で結び、測定値、倍率、実測値が表示される。
【００２０】
４０３は指定された２点を結んだ直線を示し、４０４は計測値や倍率を表示する計測結果表示部である。計測結果表示部４０４には、放射線画像４０１上での計測値４０４１と設定した倍率４０４２およびその倍率で算出した被写体上での実測値４０４３とを表示するとともに、それらの関係式を表示する。なお、図３に示した例においては倍率は９５％と設定されている。
【００２１】
なお、本実施例では、計測処理を示すツールのみを表示しているが、このほかにも拡大・縮小、コントラスト調整、周波数強調などの放射線画像に対して一般的に行なわれる処理を指示するためのボタンが表示されるが、本発明の説明に直接関係がないので、ここではその説明を省略する。
【００２２】
計測値４０４１は放射線センサーのＸ軸方向のピクセルピッチをＰＸ、Ｙ軸方向のピクセルピッチをＰｙ、センサー上での２点の位置をそれぞれ（ｘ１,ｙ１）、（ｘ２,ｙ２）としたとき、次式
【００２３】
【数１】
2005027904.tif 000003
【００２４】
で求められる。たとえば、センサーのピクセルピッチがＰＸ＝Ｐｙ＝１６０μｍ、で２点のセンサー上での位置を（２００,３００）、（４００,６００）、だとすると計測値は
【００２５】
【数２】
2005027904.tif 000004
【００２６】
となる。
【００２７】
図４は倍率の設定方法を説明する図である。５０１はポップアップメニューであり、マウスを用いて、ポインタを放射線画像４０１上に移動させた後、マウスの右ボタンをクリックするなどして表示されるポップアップメニュー５０１から、倍率設定を行なう項目を選択し、さらに表示される倍率設定ウィンドウ５０２から所望の倍率を選択することで、倍率の設定を行う。
【００２８】
このほかにも、ボタン４０２のようなボタンの形態で倍率設定用ボタンを表示しておき、そのボタンをクリックすることで倍率設定ウィンドウを表示して、倍率の設定が行なう方法などが考えられる。
【００２９】
このようにして、倍率を設定するとそれ以降の計測処理では、新たに設定された倍率に基づいて実測値を算出する。このとき、倍率設定を行った時点よりも以前に計測した個所について、倍率を変更して被写体上での実測値を再計算するということは行わない。つまり倍率を変更した場合には変更した後に行った計測についてその倍率を適用するだけで、過去の計測に遡ってその倍率を適用するということはしない。
【００３０】
次に図５を用いて、本実施形態における動作フローを説明する。図５の動作フローは画像に対して計測操作を行ない、計測結果を表示するまでのフローを示しており、画像に対する他の操作に関しては示していない。
【００３１】
まず、６０１にて操作者は患者ＩＤを入力するか、またはカードリーダなどを用いて患者情報を入力する。すると放射線画像表示システムは入力された患者情報をもとに画面上に該当する患者の放射線画像を表示する。６０２は、倍率を設定するか否かを選択する条件分岐であり、選択する場合は６０３へ、設定しない場合は６０４へ移る。
【００３２】
６０２において倍率の設定を行なう場合には、６０３にて倍率の設定を行なう。倍率の設定方法は前述したように、放射線画像上でマウスの右ボタンクリックするなどしてポップアップメニュー５０１を表示し、さらに倍率設定ウィンドウ５０２から倍率を選択するなどして、倍率を設定する。
【００３３】
倍率の設定が終了すると、次に６０４へ移る。６０４では、画面上に表示されている計測ツールを選択して、計測モードに切り替えた後、マウスを操作して画像上の任意の２点を指定する。指定された２点間の距離を求める計測処理を行なう。計測処理を行なうと、６０５にて、被写体上での実測値を算出する。
【００３４】
被写体上での実測値の算出は６０３において設定された倍率を用いて算出する。また、６０２において倍率の設定を行なわない場合は、予め設定されている規定の倍率を用いて実測値を算出する。６０６において、指定された２点間を結ぶ直線を引くとともに、６０４で計測した画像上での計測値と６０５で算出した被写体上での実測値、設定された倍率とを、指定された２点間を結ぶ直線の近傍に表示する。
【００３５】
（第１の実施形態の変形例）
第１の実施形態では図４の倍率設定ウィンドウ５０２のように、予め決められた倍率の中から所望の倍率を選択する形態で説明したが、倍率の設定の際に任意の倍率を入力することも可能である。たとえば、倍率設定ウィンドウの中に「任意の倍率」という項目を用意して、「任意の倍率」が選択されたときには、ユーザがキーボードから入力した値を設定倍率としたり、スライドバーを用いて任意の倍率を設定することができる。このような方法で倍率設定を行うことで、ユーザは任意の倍率を設定することができる。
【００３６】
また、任意の倍率の設定方法として、予め一定の大きさを持った基準物（例えば、定規）を被写体と共に撮影し、撮影後に得られた放射線画像に写り込んだ基準物の大きさを測定することで倍率を設定することが出来る。図６を用いて、具体的に説明する。図６（Ａ）において、７０１は管球、７０２は放射線センサー、７０３は被写体、７０４は被写体と共にセンサーに写し込む基準物である。また、図６（Ｂ）は図６（Ａ）で示された方法で撮影された画像を表示した例であり、７０５は撮影して得られた画像、７０６は基準物測定処理を行い、倍率を設定することを指示するためのツールボタン、７０７は画像に写り込んだ基準物、７０８は基準物の画像上での長さの入力するダイアログボックスを示している。
【００３７】
まず、操作者は画面上部のツールボタン７０６をクリックして、基準物測定処理を行なうことを指示する。マウスを操作して基準物７０７の両端の位置を入力すると、画像上での基準物の長さが測定される。この測定が終了すると実際の基準物長を入力するダイアログボックスが表示される。ここで、予めわかっている基準物の実際の長さを入力すると、基準物の実際の長さと画面上での測定値から倍率が算出され、算出された倍率が設定される。たとえば、実際の基準物の長さが２０ｃｍで、画像上での測定値が２１ｃｍだったとすると、倍率は
【００３８】
【数３】
2005027904.tif 000005
【００３９】
となり、倍率は９５．２％と設定される。
【００４０】
このような倍率設定方法にすることで、簡単に正確な倍率設定が可能になる。
【００４１】
なお、本発明の目的は、第１の実施形態の放射線画像表示装置の機能を実現するソフトウェアのプログラムコードを記憶した記録媒体を、システム或いは装置に供給し、そのシステム或いは装置のコンピュータ（又はＣＰＵやＭＰＵ）が記録媒体に格納されたプログラムコードを読みだして実行することによっても、達成されることは言うまでもない。
【００４２】
この場合、記録媒体から読み出されたプログラムコード自体が第１の実施形態の機能を実現することとなり、そのプログラムコード、及びそのプログラムコードを記憶した記録媒体は本発明を構成することとなる。プログラムコードを供給するための記録媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
【００４３】
また、コンピュータが読みだしたプログラムコードを実行することにより、第１の実施形態の機能が実現されるだけでなく、そのプログラムコードの指示に基づき、コンピュータ上で稼動しているＯＳ等が実際の処理の一部又は全部を行い、その処理によって第１の実施形態の機能が実現される場合も含まれることは言うまでもない。さらに、記録媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１の実施形態の機能が実現される場合も含まれることは言うまでもない。
【００４４】
図７は、上記のコンピュータの機能１１００の構成例を示したものである。コンピュータ機能１１００は、上記図７に示すように、ＣＰＵ１１０１と、ＲＯＭ１１０２と、ＲＡＭ１１０３と、キーボード（ＫＢ）１１０９のキーボードコントローラ（ＫＢＣ）１１０５と、表示部としてのＣＲＴモニタ（ＣＲＴ）１１１０のＣＲＴコントローラ（ＣＲＴＣ）１１０６と、ハードディスク（ＨＤ）１１１１及びフレキシブルディスク（ＦＤ）１１１２のディスクコントローラ（ＤＫＣ）１１０７と、ネットワーク１１４０接続のためのネットワークインターフェースカード（ＮＩＣ）１１０８とが、システムバス１１０４を介して互いに通信可能に接続された構成としている。
【００４５】
ＣＰＵ１１０１は、ＲＯＭ１１０２或いはＨＤ１１１１に記憶されたソフトウェア、或いはＦＤ１１１２より供給されるソフトウェアを実行することで、システムバス１１０４に接続された各構成部を総括的に制御する。すなわち、ＣＰＵ１１０１は、所定の処理シーケンスに従った処理プログラムを、ＲＯＭ１１０２、或いはＨＤ１１１１、或いはＦＤ１１１２から読み出して実行することで、第１および第２の実施形態での動作を実現するための制御を行う。
【００４６】
ＲＡＭ１１０３は、ＣＰＵ１１０１の主メモリ或いはワークエリア等として機能する。ＫＢＣ１１０５は、ＫＢ１１０９や図示していないポインティングデバイス等からの指示入力を制御する。ＣＲＴＣ１１０６は、ＣＲＴ１１１０の表示を制御する。ＤＫＣ１１０７は、ブートプログラム、種々のアプリケーション、編集ファイル、ユーザファイル、ネットワーク管理プログラム、及び第１および第２の実施形態における所定の処理プログラム等を記憶するＨＤ１１１１及びＦＤ１１１２とのアクセスを制御する。ＮＩＣ１１０８は、ネットワーク１１４０上の他の装置或いはシステムと双方向にデータをやりとりする。
【図面の簡単な説明】
【００４７】
【図１】第１の実施形態としての放射線画像表示装置のハードウェア構成図である。
【図２】第１の実施形態としての放射線画像表示装置の構成を説明する図である。
【図３】第１の実施形態としての放射線画像表示装置の表示を説明する図である。
【図４】第１の実施形態としての放射線画像表示装置の倍率設定方法を説明する図である。
【図５】第１の実施形態としての放射線画像表示装置の動作フローを説明する図である。
【図６】第１の実施形態の変形例における表示方法を説明する図である。
【図７】コンピュータの機能構成を説明する図である。
【符号の説明】
【００４８】
１０１  入力部
１０２  制御部
１０３  データ保存部
１０４  表示部
２０１  指示部
２０２  画像保存部
２０３  画像受信部
２０４  画像表示部
２０５  計測処理部
２０６  計測結果表示部
２０７  倍率設定部
４０１  放射線画像
４０２  計測ツール選択部
４０３  計測個所を示す直線
４０４  計測結果表示部
４０４１  計測値
４０４２  倍率
４０４３  実測値
５０２  倍率設定ウィンドウ
７０１  管球
７０２  放射線センサー
７０３  被写体
７０４  基準物
７０５  放射線画像
７０６  基準物測定ツール選択部
７０７  投影された基準物
７０８  基準物長入力部
【図１】
2005027904.tif 000006
【図２】
2005027904.tif 000007
【図３】
2005027904.tif 000008
【図４】
2005027904.tif 000009
【図５】
2005027904.tif 000010
【図６】
2005027904.tif 000011
【図７】
2005027904.tif 000012